(57)【特許請求の範囲】
【請求項１】
取付面に取り付けられる面状発光体を備えた照明装置であって、
前記面状発光体が、個別に面発光可能な第１発光部および第２発光部を有し、
前記第１発光部および前記第２発光部が同心状に配置され、
前記第１発光部および前記第２発光部のうちの面積が大きな側に印加する電圧を下げて暗くする照明装置。
【請求項２】
前記第１発光部および第２発光部のうちの少なくとも一方が環状である請求項１に記載の照明装置。
【請求項３】
前記第１発光部および前記第２発光部のうちの少なくとも一方が個別に面発光可能な複数の発光領域を有している請求項１に記載の照明装置。
【請求項４】
前記第１発光部および前記第２発光部の同心状の位置に中央発光部が設けられている請求項１に記載の照明装置。
【発明の詳細な説明】
【技術分野】
【０００１】
本発明は照明装置に係り、例えば、ＥＬ(Electro Luminescence)による面状発光体を用いた照明装置に関するものである。
【背景技術】
【０００２】
従来より、ＥＬ(Electro Luminescence)素子等の面状発光体を光源とする照明装置が提案されている（例えば特許文献１参照）。
ＥＬ素子を用いた面状発光体は、ガラス基板に透明電極、発光層、金属電極が積層されており、金属電極および透明電極に電圧を印加することにより発光層において生じた光が、ガラス基板を通して出射される。このような面状発光体を用いた照明装置では、ガラス基板の略全域が発光領域となる。
【特許文献１】特開２００２−３２０３０号公報
【発明の開示】
【発明が解決しようとする課題】
【０００３】
ところで、面状発光体は、その構造上の理由から、発光領域に輝度ムラが生じるため、照明装置として用いた場合、観る者が発光領域に不自然感を感じる可能性がある。特に、照明装置として用いられる面状発光体は、大面積、かつ、全面発光であるため、不自然感が顕著となる可能性があり、照明装置としては好ましくない場合がある。
【０００４】
本発明は、前述した問題点に鑑みてなされたものであり、その目的は、観る者が発光領域に不自然感を感じにくい照明装置を提供することにある。
【課題を解決するための手段】
【０００５】
前述した目的を達成するために、本発明は、取付面に取り付けられる面状発光体を備えた照明装置であって、前記面状発光体が、個別に面発光可能な第１発光部および第２発光部を有し、前記第１発光部および前記第２発光部が同心状に配置されている。
【０００６】
このように構成された照明装置においては、複数の発光部が同心状に配置されているので、一部が点灯した場合も、全部が点灯した場合も中心は略同じ位置となり、仮に輝度ムラが生じていても、観る者に不自然感を感じさせるのを防止することができる。
なお、発光部を同心状に配置するとは、完全な同心状に限らず、偏心配置や異なる形状にも適用され、ある一点を中心として囲むように面方向に沿って発光部が階層的に配置されている状態を意味する。
【０００７】
また、本発明は、前記第１発光部および第２発光部のうちの少なくとも一方が環状である。
【０００８】
このように構成された照明装置においては、少なくとも一方の発光部は環状なので、中心を有する。従って、他方の発光部は、この中心に対して同心状に配置される。
【０００９】
また、本発明は、前記第１発光部および前記第２発光部のうちの少なくとも一方が個別に面発光可能な複数の発光領域を有している。
【００１０】
このように構成された照明装置においては、第１発光部および第２発光部のうちの少なくとも一方が個別に面発光可能な複数の発光領域によって環状を形成している。
このため、全部が点灯した場合でも、実際には小さな面積の面状発光体が並んで点灯しているので、全体が１個の大面積の面状発光体の場合に比較して、輝度ムラが生じにくい。
【００１１】
また、このように構成された照明装置においては、個別に面発光可能な複数の発光領域が、同心状に配置されることになる。
このため、全部が点灯した場合でも、実際には小さな面積の面状発光体が並んで点灯していることになり、全体が１個の大面積の面状発光体の場合に比較して、輝度ムラが生じにくい。
【００１２】
また、本発明は、前記第１発光部および前記第２発光部の同心状の位置に中央発光部が設けられている。
【００１３】
このように構成された照明装置においては、複数の発光部が同心状に配置されているので、一部が点灯した場合も、全部が点灯した場合も中心は略同じ位置となり、仮に輝度ムラが生じていても、観る者に不自然感を感じさせるのを防止することができる。
【発明の効果】
【００１４】
本発明によれば、複数の発光部が同心状に配置されているので、一部が点灯した場合も、全部が点灯した場合も中心は略同じ位置となり、仮に輝度ムラが生じていても、観る者に不自然感を感じさせるのを防止することができるという効果が得られる。
【発明を実施するための最良の形態】
【００１５】
以下、本発明に係る実施形態を図面に基づいて詳細に説明する。
図１（Ａ）は本発明の照明装置に係る第１実施形態を示す側面図、図１（Ｂ）は本発明の照明装置に係る第１実施形態を示す底面図、図２（Ａ）〜（Ｃ）は点灯のバリエーションを示す底面図、図３（Ａ）〜（Ｃ）はその他の環状の例を示す平面図である。
【００１６】
（第１実施形態）
図１に示すように、本発明の第１実施形態である照明装置１０Ａは、取付面３０である天井面３１に取り付けられる面状発光体１１を備えている。
そして、面状発光体１１が、個別に面発光可能な第１発光部である内側ＥＬランプ１２および第２発光部である外側ＥＬランプ１３を有し、内側ＥＬランプ１２および外側ＥＬランプ１３が同心状に配置されている。
【００１７】
なお、図１に示す例では、内側ＥＬランプ１２および外側ＥＬランプ１３の間に１本の中間ＥＬランプ１４を有しているが、ＥＬランプの個数は２個以上であれば不問である。また、照明装置１０Ａの外側には、全ＥＬランプを収納して覆うカバー１５が設けられている。このカバー１５は、輝度の均一化のために設ける場合には、完全な透明よりも、例えば乳白色のように、光をぼかす材質、色のものがよい。
【００１８】
図１（Ｂ）に示すように、内側ＥＬランプ１２および外側ＥＬランプ１３の少なくとも一方（図１（Ｂ）では両方共）は環状であり、同心状に配置されている。ここでは、各ＥＬランプ１２、１３、１４は環状であり、同心円状に配置されている。
なお、発光部を同心状に配置するとは、ＥＬランプ１２、１３、１４が環状であって、全ての中心が一致しているいわゆる完全な同心円状に限らず、各中心が偏心している場合も含む。図３（Ａ）〜（Ｃ）には、環状のその他の例が示されている。図３（Ａ）には四角形、図３（Ｂ）には星型、図３（Ｃ）にはハート型の例が示されている。これらの場合には、内側ＥＬランプ１２と外側ＥＬランプ１３とは同形状、すなわち相似形をしている。
【００１９】
なお、円形や四角形等の環状の内側ＥＬランプ１２や外側ＥＬランプ１３は、一部材で環状を形成してもよいが、複数の発光領域に分割して、全体で環状となるようにすることもできる。
また、各ＥＬランプ１２、１３、１４の形状は、同一すなわち相似形に限らず異なる場合にも適用され、ある一点を中心として囲むように面方向に沿って発光部が階層的に配置されている状態を意味する。
従って、Ｃ字状（部分円）、Ｌ字状、コ字状等を積層するように配置する場合も含まれる。
【００２０】
図２（Ａ）〜（Ｃ）には、同幅、同色のＥＬランプ１２、１３、１４を等間隔で配置した面状発光体１１を有する照明装置１０Ａが示されている。
図２（Ａ）には、内側ＥＬランプ１２と中間ＥＬランプ１４が点灯している状態を示している。図２（Ｂ）には、内側ＥＬランプ１２と外側ＥＬランプ１３が点灯している状態を示している。また、図２（Ｃ）には、全てのＥＬランプ１２、１３、１４が点灯している状態を示している。
【００２１】
なお、光をぼかすカバー１５を取り付けることにより、点灯時に各ＥＬランプ１２、１３、１４は、図２（Ａ）〜（Ｃ）に示すように明確に区別できず、均一化して発光するので、容易に調光することができる。
また、カバー１５として透明度の高いものを使用することにより、意匠的効果を得ることができる。
【００２２】
このように、種々の点灯パターンでＥＬランプ１２、１３、１４を点灯させることにより、さまざまな意匠パターンを実現したり、明るさの調整を行うことができる。
また、一般に、面積の大きな面状発光体１１の方が寿命が短いため、面積が大きな外側のＥＬランプ１３に印加する電圧を下げて暗くし、内側の方を明るくすることにより、全体の寿命を一定化することができる。これにより、寿命の違いによる取替え作業の回数を少なくすることができる。
【００２３】
以上、このように構成された照明装置１０Ａにおいては、複数の発光部１２、１３、１４が同心状に配置されているので、一部が点灯した場合も、全部が点灯した場合も中心は略同じ位置となり、仮に輝度ムラが生じていても、観る者に不自然感を感じさせるのを防止することができる。
【００２４】
（第２実施形態）
次に、本発明に係る照明装置の第２実施形態について説明する。
図４（Ａ）は本発明の照明装置に係る第２実施形態を示す側面図、図４（Ｂ）は本発明の照明装置に係る第２実施形態を示す底面図、図５（Ａ）〜（Ｃ）は点灯のバリエーションを示す底面図である。
なお、前述した第１実施形態に係る照明装置１０Ａと共通する部位には同じ符号を付して、重複する説明を省略することとする。
【００２５】
図４に示すように、第２実施形態に係る照明装置１０Ｂでは、第１発光部である内側ＥＬランプ１２と、第２発光部である外側ＥＬランプ１３とが同心状に配置されて面状発光体１１Ｂを形成している。さらに、面状発光体１１Ｂを９セット配列して照明装置１０Ｂを形成している。各面状発光体１１Ｂは、個別に、点灯および調光等が制御可能となっている。
なお、照明装置１０Ｂの外側には、全ＥＬランプを収納して覆うカバー１５を設けることができる。例えば、照明装置１０Ｂの全体で輝度を均一化して、明るさの調整を行う場合には光をぼかすカバー１５を用いる。また、点灯パターンによる意匠的効果を得たい場合には、透明度の高いカバー１５を用いることができる。
【００２６】
図５には、点灯パターンの例が示されている。図５（Ａ）では、各面状発光体１１Ｂにおいて内側ＥＬランプ１２および外側ＥＬランプ１３の全てが点灯している状態が示されている。図５（Ｂ）では、内側ＥＬランプ１２は消灯し、外側ＥＬランプ１３が点灯している状態が示されている。また、図４（Ｃ）では、内側ＥＬランプ１２は点灯して、外側ＥＬランプ１３は消灯している。このように、照明装置１０Ｂの外観意匠や全体の配光をほぼ変えることなく、点灯の組み合わせにより、さまざまな点灯パターンを作ることができる。
【００２７】
（第３実施形態）
次に、本発明に係る照明装置の第３実施形態について説明する。
図６は本発明の照明装置に係る第３実施形態を示す斜視図、図７（Ａ）および（Ｂ）は点灯のバリエーションを示す底面図である。なお、前述した第１実施形態あるいは第２実施形態に係る照明装置１０Ａ、１０Ｂと共通する部位には同じ符号を付して、重複する説明を省略することとする。
【００２８】
図６に示すように、第３実施形態に係る照明装置１０Ｃでは、４個の三角形状をした発光領域から構成される第１発光部である内側ＥＬランプ１２と、４個の三角形状をした発光領域から構成される第２発光部である外側ＥＬランプ１３とが同心状に配置されて各々四角形を形成している。さらに、４個の内側ＥＬランプ１２に囲まれた中央発光部１６が設けられている。
従って、これらの発光部は、中央発光部１６を中心として、中央発光部１６を囲うように同心状に配置されて面状発光体１１Ｃを形成することになる。
【００２９】
図７（Ａ）および（Ｂ）には、面状発光体１１Ｃを４個組み合わせた照明装置１０Ｃの点灯パターンが示されている。各面状発光体１１Ｃは、個別に、点灯および調光等が制御可能となっている。
図７（Ａ）では、各面状発光体１１Ｃの４個の外側ＥＬランプ１３が点灯しており、中央発光部１６および内側ＥＬランプ１２は消灯している。図７（Ｂ）では、各面状発光体１１ｃの４個内側ＥＬランプ１２が点灯しており、中央発光部１６および外側ＥＬランプ１３は消灯している。さらに、図示はしないが、中央発光部１６を適宜点灯させることにより、さらに多くの点灯パターンを作ることができる。
これにより、前述した第１実施形態および第２実施形態に係る照明装置１０Ａ、１０Ｂと同様の作用・効果を得ることができる。
【００３０】
（第４実施形態）
次に、本発明に係る照明装置の第４実施形態について説明する。
図８は本発明の照明装置に係る第４実施形態を示す斜視図、図９（Ａ）および（Ｂ）は点灯のバリエーションを示す底面図である。なお、前述した第１実施形態から第３実施形態に係る照明装置１０Ａ、１０Ｂ、１０Ｃと共通する部位には同じ符号を付して、重複する説明を省略することとする。
【００３１】
図８に示すように、第４実施形態に係る照明装置１０Ｄでは、四角形の中に第１発光部として４分の１の円形の内側ＥＬランプ１２を設け、その外側に、第２発光部としての外側ＥＬランプ１３を設けて、正方形の面状発光体１１Ｄを形成している。そして、４分割の円の中心Ｐ０を合わせて、面状発光体１１Ｄを９０度回転させながら４個並べることにより、全体として四角形の中に円形を形成する照明装置１０Ｄを形成している。
【００３２】
図９（Ａ）および（Ｂ）には、面状発光体１１Ｄを４個組み合わせた照明装置１０Ｄの点灯パターンが示されている。各面状発光体１１Ｄは、個別に、点灯および調光等が制御可能となっている。
図９（Ａ）では、各面状発光体１１Ｄの４個の内側ＥＬランプ１２が点灯して、外側ＥＬランプ１３は消灯している。図９（Ｂ）では、外側ＥＬランプ１３が点灯して、内側ＥＬランプ１２は消灯している。これにより、印象が異なる点灯パターンを容易に作ることができる。
これにより、前述した第１実施形態から第３実施形態に係る照明装置１０Ａ、１０Ｂ、１０Ｃと同様の作用・効果を得ることができる。
【００３３】
（第５実施形態）
次に、本発明に係る照明装置の第５実施形態について説明する。
図１０は本発明の照明装置に係る第５実施形態を示す斜視図である。なお、前述した第１実施形態から第４実施形態に係る照明装置１０Ａ、…、１０Ｄと共通する部位には同じ符号を付して、重複する説明を省略することとする。
【００３４】
図１０に示すように、第５実施形態に係る照明装置１０Ｅでは、第１〜第４実施形態において前述した照明装置１０を複数個並べて、取付面３０であるホールや宴会場の天井面３１に取り付けてある。
これにより、会場の演出照明などを、壁面３２に埋め込むことなく、容易に取り付けることができる。
【００３５】
（第６実施形態）
次に、本発明に係る照明装置の第６実施形態について説明する。
図１１は本発明の照明装置に係る第６実施形態を示す斜視図である。なお、前述した第１実施形態から第４実施形態に係る照明装置１０Ａ、…、１０Ｄと共通する部位には同じ符号を付して、重複する説明を省略することとする。
【００３６】
図１１に示すように、第６実施形態に係る照明装置１０Ｆでは、第１〜第４実施形態において前述した照明装置１０を、取付面３０である壁面３２に取り付けてある。
これにより、公共空間の演出照明などを、壁面３２に埋め込むことなく、容易に取り付けることができる。
【００３７】
なお、本発明の照明装置は、前述した各実施形態に限定されるものでなく、適宜な変形，改良等が可能である。
すなわち、前述した各実施形態においては、照明装置１０を天井面３１や壁面３２に直付けしたが、この他、図１２に示すように、取付部材３３を介して天井面３１や壁面３２に取り付けることも可能である。
【産業上の利用可能性】
【００３８】
以上のように、本発明に係る照明装置は、複数の発光部が同心状に配置されているので、一部が点灯した場合も、全部が点灯した場合も中心は略同じ位置となり、仮に輝度ムラが生じていても、観る者に不自然感を感じさせるのを防止することができるという効果を有し、例えば、ＥＬによる面状発光体を用いた照明装置等として有用である。
【図面の簡単な説明】
【００３９】
【図１】（Ａ）は本発明の照明装置に係る第１実施形態を示す側面図、（Ｂ）本発明の照明装置に係る第１実施形態を示す底面図
【図２】（Ａ）〜（Ｃ）は点灯のバリエーションを示す底面図
【図３】（Ａ）〜（Ｃ）はその他の環状の例を示す平面図
【図４】（Ａ）は本発明の照明装置に係る第２実施形態を示す側面図、（Ｂ）は本発明の照明装置に係る第２実施形態を示す底面図
【図５】（Ａ）〜（Ｃ）は点灯のバリエーションを示す底面図
【図６】本発明の照明装置に係る第３実施形態を示す斜視図
【図７】（Ａ）および（Ｂ）は点灯のバリエーションを示す底面図
【図８】本発明の照明装置に係る第４実施形態を示す斜視図
【図９】（Ａ）および（Ｂ）は点灯のバリエーションを示す底面図
【図１０】本発明の照明装置に係る第５実施形態を示す斜視図
【図１１】本発明の照明装置に係る第６実施形態を示す斜視図
【図１２】照明装置の取り付け方の別の例を示す斜視図
【符号の説明】
【００４０】
１０  照明装置
１１  面状発光体
１２  内側ＥＬランプ（第１発光部）
１３  外側ＥＬランプ（第２発光部）
１６  中央発光部
３０  取付面
【図１】
0004600270.tif 000002
【図２】
0004600270.tif 000003
【図３】
0004600270.tif 000004
【図４】
0004600270.tif 000005
【図５】
0004600270.tif 000006
【図６】
0004600270.tif 000007
【図７】
0004600270.tif 000008
【図８】
0004600270.tif 000009
【図９】
0004600270.tif 000010
【図１０】
0004600270.tif 000011
【図１１】
0004600270.tif 000012
【図１２】
0004600270.tif 000013